(57)【要約】【課題】簡単な構成であって、平面素材のコーナー部分を留着するのに極めて扱い易いシート状の留着具の構成を提供すること。【解決手段】可撓性を有し、かつ折り曲げ自在であって、凸形状又は矩形状のシートにおいて、２本以上のスリット２を並設すると共に、この内１本のスリット２の方向を延長したことによる折り曲げライン３に沿って前記シートを折り曲げることによって、前記折り曲げライン３によって区分されている双方の領域の内側面を相互に隣接させた後、前記折り曲げライン３に沿った両側において、折り曲げられた側と折り曲げられていない側とを接合することによって前記課題を達成することができる平面素材のコーナー部分に対する留着用具。【選択図】図８
2011178091.tif 000002
【特許請求の範囲】
【請求項１】
可撓性を有し、かつ折り曲げ自在であって、狭幅領域と当該領域から両側に突出している両側突出部を含む広幅領域との結合による凸形状を呈するシートにおいて、２本以上のスリットを並設すると共に、前記スリットの内１本のスリットを狭幅領域に設け、かつ他の１本以上のスリットを広幅領域に設け、狭幅領域におけるスリットの方向を延長したことによる折り曲げラインに沿って前記シートを折り曲げることによって、前記折り曲げラインによって区分されている双方の領域の内側面を相互に隣接させたうえで、前記両側突出部を前記折り曲げラインと直交又は斜交する他の折り曲げラインに沿って折り曲げ、当該折り曲げに係る両側突出部と既に折り曲げられている狭幅領域とを接合するか、又は既に折り曲げられている狭幅領域の外側面側において、当該折り曲げに係る両側突出部同士を接合している平面素材のコーナー部分に対する留着用具。
【請求項２】
他の折り曲げラインに沿って折り曲げられている両側突出部の内側面と既に折り曲げられている狭幅領域の外側面とを貼着することによって接合するか、又は既に折り曲げられている狭幅領域の外側面側において、両側突出部同士を貼着によって接合することを特徴とする請求項１記載の平面素材のコーナー部分に対する留着用具。
【請求項３】
狭幅領域における折り曲げラインと直交又は斜交する方向の接合用スリットを、両側突出部の上端側にそれぞれ１本設けると共に、同一方向の接合用スリットを既に折り曲げられている場合における狭幅領域の下端に２本設け、前記各１本の両側突出部における接合用スリットと、前記２本の狭幅領域における接合用スリットとの咬合によって、両側突出部と狭幅領域とが接合することを特徴とする請求項１記載の平面素材のコーナー部分に対する留着用具。
【請求項４】
狭幅領域において折り曲げラインと直交又は斜交する方向の接合用スリットを、当該折り曲げラインに沿った両側に２本設け、両側突出部を前記折り曲げラインに沿って折り曲げられた狭幅領域の外側面側から前記接合用スリットに挿入することによって、両側突出部と狭幅領域とが接合することを特徴とする請求項１記載の平面素材のコーナー部分に対する留着用具。
【請求項５】
狭幅領域における折り曲げラインと直交又は斜交する方向の接合用スリットを両側突出部の一方側の上端部及び他方側の下端部にそれぞれ設け、既に折り曲げられている狭幅領域の外側面側において、前記接合用スリットの狭幅の外側面側における咬合によって、両側突出部同士が接合することを特徴とする請求項１記載の平面素材のコーナー部分に対する留着用具。
【請求項６】
可撓性を有し、かつ折り曲げ自在であって、矩形状を呈するシートにおいて、２本以上のスリットを並設すると共に、前記スリットの内１本のスリットの方向を延長したことによる折り曲げラインに沿ってシートを折り曲げ、当該折り曲げによって相向かい合う一方側領域及び他方側領域の各内側面を相互に隣接させたうえで、前記各折り曲げラインに沿った方向の両端及びその近傍を相互に接合することによる平面素材のコーナー部分に対する留着用具。
【請求項７】
一方側の内側面と他方側の内側面とが貼着し合うことによって接合することを特徴とする請求項６記載の平面素材のコーナー部分に対する留着用具。
【請求項８】
折り曲げラインと直交又は斜交する方向の接合用スリットを、一方側において当該折り曲げラインの方向に沿った両側に２本設け、他方側において当該折り曲げラインの方向に沿った両側に設けた切り込み片を、前記接合用スリットに挿入することによって、一方側と他方側とが接合することを特徴とする請求項６記載の平面素材のコーナー部分に対する留着用具。
【発明の詳細な説明】
【技術分野】
【０００１】
本発明は、可撓性を有し、かつ折り曲げ自在であるシートを使用して、紙（天然紙及び人工紙を含む）、プラスチックシート、布等の折り曲げ自在である平面素材のコーナー部分を留着することができるクリップ、即ち留着用具に関するものである。
【背景技術】
【０００２】
紙、又はプラスチックシートのような平面状素材の所定部位を収束した状態にて保持する場合には、通常ホッチキスによる留着が行われている。
【０００３】
しかしながら、当該ホッチキスによって処理された複数枚の平面素材を廃棄し、かつリサイクル用に使用する場合には、留着に使用したホッチキス用針の除去という煩雑な作業を必要とする。
【０００４】
このような状況に鑑み、平面素材と同じように、事後のリサイクルに必要な処理に際し、ホッチキス用針の平面素材からの除去という煩雑な作業を不要とし、かつ平面素材と同一種類の素材によるシートに基づく留着用具の構成は、日常生活において当然要請されるところである。
【０００５】
しかしながら、現実には、そのような留着用具の適切な構成は、意外と提唱されていない。
【０００６】
因みに、特許文献１は、紙片のコーナー部分に糊を付着させた状態にて留着する構成を開示しているが、留着する一方の物としてボックス状の構成を必要としており、平面素材に対する留着用具として適切な構成を提供している訳ではない。
【０００７】
他方、特許文献２は、電子ペーパー同士を当該ペーパーの端部付近において収束し得る構成を開示しているが、電子ペーパーという特殊なペーパーを対象としており、紙、プラスチックシート等の平面素材一般に適用し得る構成ではない。
【先行技術文献】
【特許文献】
【０００８】
【特許文献１】特開２００２−１３０２４３号公報
【特許文献２】特開２００６−９１２２６号公報
【発明の概要】
【発明が解決しようとする課題】
【０００９】
本発明は、簡単な構成であって、平面素材のコーナー部分を留着するのに極めて扱い易いシート状の留着用具の構成を提供することを課題としている。
【課題を解決するための手段】
【００１０】
前記課題を解決するため、本発明の基本構成は、
（１）可撓性を有し、かつ折り曲げ自在であって、狭幅領域と当該領域から両側に突出している両側突出部を含む広幅領域との結合による凸形状を呈するシートにおいて、２本以上のスリットを並設すると共に、前記スリットの内１本のスリットを狭幅領域に設け、かつ他の１本以上のスリットを広幅領域に設け、狭幅領域におけるスリットの方向を延長したことによる折り曲げラインに沿って前記シートを折り曲げることによって、前記折り曲げラインによって区分されている双方の領域の内側面を相互に隣接させたうえで、前記両側突出部を前記折り曲げラインと直交又は斜交する他の折り曲げラインに沿って折り曲げ、当該折り曲げに係る両側突出部と既に折り曲げられている狭幅領域とを接合するか、又は既に折り曲げられている狭幅領域の外側面側において、当該折り曲げに係る両側突出部同士を接合している平面素材のコーナー部分に対する留着用具、
（２）可撓性を有し、かつ折り曲げ自在であって、矩形状を呈するシートにおいて、２本以上のスリットを並設すると共に、前記スリットの内１本のスリットの方向を延長したことによる折り曲げラインに沿ってシートを折り曲げ、当該折り曲げによって相向かい合う一方側領域及び他方側領域の各内側面を相互に隣接させたうえで、前記各折り曲げラインに沿った方向の両端及びその近傍を相互に接合することによる平面素材のコーナー部分に対する留着用具、
からなる。
【発明の効果】
【００１１】
前記基本構成（１）、（２）に立脚している本発明においては、平面素材のコーナー部分を折り曲げによって、双方の内側面が隣接し合っている側に位置している一方の端部に挿入し、かつ折り曲げラインに沿って他方の端部に位置しているスリットを挿通し、かつ突出させた後、当該コーナー部分を反転させて、折り曲げの対象となっていない他の１本以上のスリットに挿入するという簡単な操作によって、複数枚の平面素材のコーナー部分を収束することが可能となる一方、留着用具によって留着が行われている平面素材を廃棄し、かつリサイクル用に処分する場合にも、ホッチキス用針の場合のような針の除去という格別の煩雑な除外作業を不要とする点において極めて便利である。
【図面の簡単な説明】
【００１２】
【図１】実施例１の構成を示しており、（ａ）は留着用具を形成する前段階にある平面状の展開図を示しており、（ｂ）は１本のスリットを延長した折り曲げラインに沿った狭幅領域の折り曲げ及び他の折り曲げラインに沿って折り曲げられた両側突出部と、前記のように既に折り曲げられている狭幅領域との接合用スリットの咬合を介した接合によって留着用具を形成した段階の正面図である。
【図２】実施例２の構成を示しており、（ａ）は留着用具を形成する前段階にある平面状の展開図を示しており、（ｂ）は１本のスリットを延長した折り曲げラインに沿った狭幅領域の折り曲げ及び他の折り曲げラインに沿って折り曲げられた両側突出部と、前記のように既に折り曲げられている狭幅領域との接合用スリットへの挿入を介した接合によって留着用具を形成した段階の正面図である。
【図３】実施例３の構成を示しており、（ａ）は留着用具を形成する前段階にある平面状の展開図を示しており、（ｂ）は１本のスリットを延長した折り曲げラインに沿った狭幅領域の折り曲げ及び他の折り曲げラインに沿って折り曲げられた両側突出部同士の接合用スリットの咬合を介した接合によって留着用具を形成した段階の正面図である。
【図４】実施例４の構成を示しており、（ａ）は留着用具を形成する前段階にある平面状の展開図を示しており、（ｂ）は１本のスリットを延長した折り曲げラインに沿って折り曲げられた一方側領域と他方側領域とが当該折り曲げラインに沿った両側における接合用スリットへの挿入を介した接合によって留着用具を形成した段階の正面図である。
【図５】前記基本構成（１）の実施形態の構成を示しており、（ａ）は留着用具を形成する前段階にある平面状の展開図を示しており、（ｂ）は１本のスリットを延長した折り曲げラインに沿った狭幅領域の折り曲げ及び他の折り曲げラインに沿って折り曲げられた両側突出部と、前記のように既に折り曲げられている狭幅領域との貼着を介した接合によって留着用具を形成した段階の正面図であり、（ｃ）は平面素材に対する留着が行われている状況を示す断面図である（尚、前記断面は、（ｂ）のＡ−Ａの位置及び方向を基準としている。）。
【図６】前記基本構成（１）の実施形態の構成を示しており、ａ）は留着用具を形成する前段階にある平面状の展開図を示しており、（ｂ）は１本のスリットを延長した折り曲げラインに沿った狭幅領域の折り曲げ及び他の折り曲げラインに沿って折り曲げられた両側突出部同士の貼着を介した接合によって留着用具を形成した段階の正面図であり、（ｃ）は平面素材に対する留着が行われている状況を示す断面図である（尚、前記断面は、（ｂ）のＡ−Ａの位置及び方向を基準としている。）。
【図７】前記基本構成（２）の実施形態の構成を示しており、（ａ）は留着用具を形成する前段階にある平面状の展開図を示しており、（ｂ）は１本のスリットを延長した折り曲げラインに沿って折り曲げられた一方側領域と他方側領域とが当該折り曲げラインに沿った両側における貼着を介した接合によって留着用具を形成した段階の正面図であり、（ｃ）は平面素材に対する留着が行われている状況を示す断面図である（尚、前記断面は、（ｂ）のＡ−Ａの位置及び方向を基準としている。）。
【図８】本発明に係る留着部分に対し、平面素材のコーナー部分を留着した状態を示しており、（ａ）は前記コーナー部分を留着用具の一方側の端部が挿入し、かつ折り曲げラインに沿って位置しているスリットから突出した場合の平面図を示しており、（ｂ）は前記挿入が行われた後、当該コーナー部分を反転して、折り曲げられていない他のスリットに更に挿入が行われた場合の平面図を示す。
【発明を実施するための形態】
【００１３】
以下、基本構成（１）、（２）につき、典型的な実施形態に即して説明する。
【００１４】
図５は、前記基本構成（１）のうち、広幅部分における両側突出部１２０と折り曲げられた狭幅領域１１とを接合する実施形態を示す。
【００１５】
具体的に説明するに、前記図５（ａ）の凸形状を呈する平面状の展開図に示すように、狭幅領域１１には１本のスリット２を設け、広幅領域１２には１本以上のスリット２を設けており（図５（ａ）の場合には、１本の場合を示す）、図５（ｂ）に示すように、狭幅領域１１におけるスリット２の方向を延長したことによる折り曲げライン３に沿ってシートを折り曲げ、前記折り曲げライン３によって区分されている双方の領域の内側面を相互に隣接させた後に、広幅部分の両側突出部１２０を狭幅領域１１における前記折り曲げライン３と直交又は斜交する他の折り曲げライン４に沿って折り曲げ、両側突出部１２０の内側面と折り曲げた狭幅部分の外側面とを貼着による接合に基づき、前記基本構成（１）の留着用具１を形成している。
【００１６】
このような留着用具１を形成した場合には、図５（ｃ）に示すように、平面素材のコーナー部分８１を折り曲げによって、双方の内側面が隣接し合っている側に位置している一方の端部に挿入し、かつ折り曲げライン３に沿って他方の端部に位置しているスリット２を挿通し、かつ突出させた後、当該コーナー部分を反転させて、広幅領域１２における折り曲げの対象となっていない他のスリット２に更に挿入することによって留着が実現することになる。
【００１７】
図６は、前記基本構成（１）のうち、既に折り曲げられている狭幅領域１１の外側面側において、広幅部分の両側突出部１２０を相互に接合する実施形態を示す。
【００１８】
具体的に説明するに、図６（ａ）の凸形状を呈する平面状の展開図に示すように、狭幅領域１１には１本のスリット２を設け、広幅領域１２には１本以上のスリット２を設けており（図６（ａ）の場合には、１本の場合を示す）、図６（ｂ）に示すように、狭幅領域１１におけるスリット２の方向を延長したことによる折り曲げライン３に沿ってシートを折り曲げ、前記折り曲げライン３によって区分されている双方の領域の内側面を相互に隣接させた後に、広幅部分の両側突出部１２０を狭幅領域１１における前記折り曲げライン３と直交又は斜交する他の折り曲げライン４に沿って折り曲げ、既に折り曲げられている狭幅領域１１の外側面側において、両側突出部１２０の相互の貼着による接合に基づき、前記基本構成（１）の留着用具１を形成している。
【００１９】
このような留着用具１を形成した場合にも、図６（ｃ）に示すように、平面素材のコーナー部分８１を折り曲げによって、双方の内側面が隣接し合っている側に位置している一方の端部に挿入し、かつ折り曲げライン３に沿って他方の端部に位置しているスリット２を挿通し、かつ突出させた後、当該コーナー部分を反転させて、広幅領域１２における折り曲げの対象となっていない他のスリット２に更に挿入することによって留着が実現することになる。
【００２０】
図７は、前記基本構成（２）の実施形態を示す。
【００２１】
具体的に説明するに、図７（ａ）の矩形状を呈している平面状の展開図に示すように、２本以上のスリット２を並設し（但し、図７（ａ）では、合計３本のスリット２の場合を示す。）、図７（ｂ）に示すように、１本のスリット２の方向を延長したことによる折り曲げライン３に沿って、シートを折り曲げ、当該折り曲げによって相向かい合う一方側領域１３の内側面と他方側領域１４の内側面とを相互に隣接させた後に、前記各折り曲げライン３に沿った方向の両端及びその近傍における相互の貼着による接合に基づき、前記基本構成（２）の実施形態の留着用具１を形成している。
【００２２】
このような留着用具１を形成した場合には、図７（ｃ）に示すように、平面素材のコーナー部分８１を折り曲げによって、双方の内側面が隣接し合っている側に位置している一方の端部に挿入し、かつ折り曲げライン３に沿って他方の端部に位置しているスリット２を挿通し、かつ突出させた後、当該コーナー部分を反転させて、折り曲げの対象となっていない他のスリット２に更に順次挿入することによって留着が実現することになる。
【００２３】
尚、図７の実施形態は、平面素材８を３本のスリット２に順次挿通しているが、このような３本のスリット２を設ける実施形態は、比較的大きなコーナー部分の挿通を行う場合に適合している。
【００２４】
以上のような実施形態において、平面素材８を留着する場合には、図８（ａ）に示すように、平面素材のコーナー部分８１を折り曲げたシートの内側面が隣接し合っている一方の端部から折り曲げライン３に沿ってスリット２が位置している他方の端部から突出させた後、当該コーナー部分を反転させたうえで、図８（ｂ）に示すように、上記のように折り曲げライン３に位置しているスリット２以外であって折り曲げの対象となっていない１本以上のスリット２に挿入するという簡単な操作によって、複数枚の平面素材のコーナー部分８１を収束することが可能となる。
【００２５】
本発明の留着用具１に係る素材は、可撓性を有し、折り曲げ自在のシート材の全てを採用することができ、典型例として、紙類（天然紙及び人工紙の双方を含む）、プラスチックシートを挙げることができる。
【００２６】
以下、実施例に即して説明する。
【実施例１】
【００２７】
実施例１は、前記基本構成（１）において図１に示すように、狭幅領域１１における折り曲げライン３と直交又は斜交する方向の接合用スリット５を、両側突出部１２０の上端側にそれぞれ１本設けると共に、同一方向の接合用スリット５を既に折り曲げられている場合における狭幅領域１１の外側面側において、狭幅領域１１の下端に２本設け、前記各１本の両側突出部１２０における接合用スリット５と、前記２本の狭幅領域１１における接合用スリット５との咬合によって、両側突出部１２０と狭幅領域１１とが接合することを特徴としている。
【００２８】
実施例１の場合も、図５に示す実施形態の場合と同様に、図１（ａ）の凸形状を呈する平面状の展開図に示すように、狭幅領域１１には１本のスリット２を設け、広幅領域１２には１本以上のスリット２を設けており（図１（ａ）の場合には、１本の場合を示す）、図１（ｂ）に示すように、狭幅領域１１におけるスリット２の方向を延長したことによる折り曲げライン３に沿ってシートを折り曲げ、前記折り曲げライン３によって区分されている双方の領域の内側面を相互に隣接させた後に、広幅部分の両側突出部１２０を狭幅領域１１における前記折り曲げライン３と直交又は斜交する他の折り曲げライン４に沿って折り曲げているが、図５（ｂ）の貼着に代えて、両側突出部１２０と狭幅領域１１とが前記折り曲げライン３と直交又は斜交している接合用スリット５同士の咬合によって接合している。
【００２９】
このように実施例１の場合には、貼着作用を不要とする点において極めて便利である。
【００３０】
尚、実施例１における平面素材８の留着工程は、図５（ｃ）に示す場合と全く同様である。
【実施例２】
【００３１】
実施例２は、前記基本構成（１）において、図２に示すように、狭幅領域１１において折り曲げライン３と直交又は斜交する方向の接合用スリット５を、当該折り曲げライン３に沿った両側に２本設け、両側突出部１２０を前記折り曲げライン３に沿って折り曲げられた狭幅領域１１の外側面側から前記接合用スリット５に挿入することによって、両側突出部１２０と狭幅領域１１とが接合することを特徴としている。
【００３２】
実施例２の場合も、図５に示す実施形態の場合と同様に、図２（ａ）の凸形状を呈する平面状の展開図に示すように、狭幅領域１１には１本のスリット２を設け、広幅領域１２には１本以上のスリット２を設けており（図２（ａ）の場合には、１本の場合を示す）、図２（ｂ）に示すように、狭幅領域１１におけるスリット２の方向を延長したことによる折り曲げライン３に沿ってシートを折り曲げ、前記折り曲げライン３によって区分されている双方の領域の内側面を相互に隣接させた後に、広幅部分の両側突出部１２０を狭幅領域１１における前記折り曲げライン３と直交又は斜交する他の折り曲げライン４に沿って折り曲げているが、図５（ｂ）の貼着に代えて、両側突出部１２０と狭幅領域１１とが当該突出部の前記接合用スリット５への挿通によって接合している。
【００３３】
尚、図２（ａ）、（ｂ）においては、接合用スリット５を狭幅領域１１における折り曲げライン３の反対側に位置している端部まで延設しているが、当該接合用スリット５は、後述する実施例４の場合と同様に、中途部位まで設置するような構成も可能である。
【００３４】
このように実施例２の場合にも、貼着作用を不要とする点において極めて便利である。
【００３５】
尚、実施例２における平面素材８の留着工程は、図５（ｃ）に示す場合と全く同様である。
【実施例３】
【００３６】
実施例３は、前記基本構成（１）において図３に示すように、狭幅領域１１における折り曲げライン３と直交又は斜交する方向の接合用スリット５を両側突出部１２０の一方側の上端部及び他方側の下端部にそれぞれ設け、既に折り曲げられている狭幅領域１１の外側面側において、前記接合用スリット５の狭幅の外側面側における咬合によって、両側突出部１２０同士が接合することを特徴としている。
【００３７】
実施例３の場合も、図６に示す実施形態の場合と同様に、図３（ａ）の凸形状を呈する平面状の展開図に示すように、狭幅領域１１には１本のスリット２を設け、広幅領域１２には１本以上のスリット２を設けており（図３（ａ）の場合には、１本の場合を示す）、図３（ｂ）に示すように、狭幅領域１１におけるスリット２の方向を延長したことによる折り曲げライン３に沿ってシートを折り曲げ、前記折り曲げライン３によって区分されている双方の領域の内側面を相互に隣接させた後に、広幅部分の両側突出部１２０を狭幅領域１１における前記折り曲げライン３と直交又は斜交する他の折り曲げライン４に沿って折り曲げているが、図６（ｂ）の貼着に代えて、両側突出部１２０同士が既に折り曲げられている狭幅領域１１の外側面側において、前記接合用スリット５同士の咬合によって接合している。
【００３８】
このように実施例２の場合にも、貼着作用を不要とする点において極めて便利である。
【００３９】
尚、実施例３における平面素材８の留着工程は、図６（ｃ）に示す場合と全く同様である。
【実施例４】
【００４０】
実施例４は、前記基本構成（２）において、図４に示すように、折り曲げライン３と直交又は斜交する方向の接合用スリット５を、一方側において当該折り曲げライン３の方向に沿った両側に２本設け、他方側において当該折り曲げライン３の方向に沿った両側に設けた切り込み片６を、前記接合用スリット５に挿入することによって、一方側と他方側とが接合することを特徴としている。
【００４１】
実施例４の場合も、図７に示す実施形態と同様に、図４（ａ）の矩形状を呈している平面状の展開図に示すように、２本以上のスリット２を並設し（但し、図４（ａ）では、合計３本のスリット２の場合を示す。）、図４（ｂ）に示すように、１本のスリット２の方向を延長したことによる折り曲げライン３に沿ってシートを折り曲げ、前記折り曲げによる一方側領域１３と他方側領域１４との内側面を相向かい合う状態としており、図７（ｂ）の貼着に代えて、一方側領域１３と他方側領域１４とが、前記切り込み片６の前記接合用スリット５への挿通によって接合している。
【００４２】
尚、図４（ａ）、（ｂ）においては、接合用スリット５を他方側領域１４における折り曲げライン３の反対側に位置している端部まで延設せずに中途部位まで設定している。
【００４３】
そのような場合には、挿通した切り込み片６による挿通状態が外れにくいという長所を有している。
【００４４】
言うまでもなく、実施例４の接合用スリット５は、前記のような中途部位まで設定する形状に限定される訳ではなく、実施例３の場合と同様に、端部まで延設する構成も採用可能である。
【００４５】
このように実施例４の場合にも、貼着作用を不要とする点において極めて便利である。
【００４６】
尚、実施例４における平面素材８の留着工程は、図７（ｃ）に示す場合と全く同様である。
【産業上の利用可能性】
【００４７】
本発明は、紙類及びプラスチックシートの何れの分野においても、広範に利用することができる。
【符号の説明】
【００４８】
１  留着用具
１１  基本構成（１）における狭幅領域
１２  基本構成（１）における広幅領域
１２０  広幅部分における両側突出部
１３  基本構成（２）における一方側領域
１４  基本構成（２）における他方側領域
２  スリット
３  折り曲げライン
４  他の折り曲げライン
５  接合用スリット
６  切り込み片
７  貼着領域
８  平面素材
８１  平面素材のコーナー部分
【図１】
2011178091.tif 000003
【図２】
2011178091.tif 000004
【図３】
2011178091.tif 000005
【図４】
2011178091.tif 000006
【図５】
2011178091.tif 000007
【図６】
2011178091.tif 000008
【図７】
2011178091.tif 000009
【図８】
2011178091.tif 000010